(57)【要約】【課題】  電子式電力量計からデータを取り出してパーソナルコンピュータ等に記録する際に、未測定によるゼロデータが転送された場合は、そのデータのみ上書きを実施しない電子式電力量計のデータ記録方法を提供する。【解決手段】  日時等の所定の期間で区分けした多数のデータ記入部を備えた電子式電力量計２のデータ記憶部に、０ｘｆｆｆｆｆｆｆｆを記入して初期設定する。このデータ記憶部に保存されたデータをパーソナルコンピュータ３に転送して記録する際に、パーソナルコンピュータ３は０ｘｆｆｆｆｆｆｆｆを受信したら破棄して記録せず、他の数を受信したら受信した数を記録してデータを書き換える。【選択図】  図１
2008261708.tif 000002
【特許請求の範囲】
【請求項１】
日時等の期間で区分けされた複数のデータ記入部を備えたデータ記憶部に、測定した電力量データを順次保存する電子式電力量計から、保存した前記電力量データを外部の記憶装置に転送して記録する電子式電力量計のデータ記録方法であって、
個々の前記データ記入部に、記入可能な最大数、或いは最大数に近い特定の数を書き込んで前記電子式電力量計を初期設定する工程と、
保存されている前記電力量データを前記記憶装置に記録する際に、前記記憶装置が前記電子式電力量計から前記書き込んだ特定の数を読み込んだら破棄して記録せず、他の数を読み込んだらその数を記録して前記記憶装置のデータ記入部を埋めて行く工程とを有することを特徴とする電子式電力量計のデータ記録方法。
【請求項２】
初期設定する工程でデータ記入部に書き込まれた特定の数は、電子式電力量計で表示される場合は、ゼロと表示される請求項１記載の電子式電力量計のデータ記録方法。
【請求項３】
日時等の期間で区分けされた複数のデータ記入部を備えたデータ記憶部に、測定した電力量データを順次保存する電子式電力量計と、保存された前記電力量データを読み込んで記録する外部の記憶装置とを有する電子式電力量計のデータ記録システムであって、
個々の前記データ記入部は、記入可能な最大数、或いは最大数に近い特定の数が書き込まれて初期設定されて成り、
前記外部の記憶装置は、保存されている前記電力量データを記録する際に、前記書き込まれた特定の数を読み込んだら破棄して記録せず、他の数を読み込んだらその数を記録して前記記憶装置のデータ記入部に書き込む読込制御手段を有することを特徴とする電子式電力量計のデータ記録システム。
【発明の詳細な説明】
【技術分野】
【０００１】
本発明は、電力使用量を測定して表示すると共に、測定データを保存する機能を有した電子式電力量計に関し、特に保存したデータを外部の記憶装置に転送して記録する電子式電力量計のデータ記録方法及びデータ記録システムに関する。
【背景技術】
【０００２】
電力使用量を測定して表示すると共に、測定データを保存する機能を有した電子式電力量計は、時計・カレンダー機能を持ち、例えば時間毎の電力量データが保存されるよう構成されている（例えば、特許文献１参照）。このような電子式電力量計は、パーソナルコンピュータ等の外部の記憶装置との通信機能を備えており、データを転送して共有することができる。この場合、接続されたパーソナルコンピュータ等が一時的に動作停止した場合でも、その間のデータを補間できるように一定量の過去データを一括して転送する構成となっている。
【特許文献１】特開２００３−１５６５１９号公報
【発明の開示】
【発明が解決しようとする課題】
【０００３】
一方、電子式電力量計は、故障等不具合が発生したら新機に交換されることになるが、新機には当然過去の測定データは入力されていないため、そのデータを表示させた場合はゼロが表示される。そして、データ転送を行った場合、測定データに加えてこの未記入の過去データも一括して転送され、接続されたパーソナルコンピュータ等に記録される。
そのため、交換前の電力量計によってパーソナルコンピュータ等に過去の電力量データが記録されているにも拘わらず、新機のデータで上書きした結果、せっかく保存した過去の貴重な電力量データが消去され、ゼロが表示されてしまう問題が発生した。
【０００４】
図５はこの具体例を示し、電子式電力量計（旧機）１１を新機１２に交換した後、パーソナルコンピュータ１３にデータ転送を行った場合の記録データの変化を示している。図５では、４月６日以前のデータが未記入でゼロが表示される状態にあり、これがパーソナルコンピュータ１３に転送されてしまい、このデータで書き換えが行われ、過去のデータが消去されてしまう状態を示している。
【０００５】
そこで、本発明はこのような問題点に鑑み成されたもので、電子式電力量計からデータを取り出してパーソナルコンピュータ等に記録する際に、未測定によるゼロデータが転送された場合は、そのデータのみ上書きを実施しない電子式電力量計のデータ記録方法及びデータ記録システムを提供することを目的とする。
【課題を解決するための手段】
【０００６】
上記課題を解決する為に、請求項１に記載の発明は、日時等の期間で区分けされた複数のデータ記入部を備えたデータ記憶部に、測定した電力量データを順次保存する電子式電力量計から、保存した前記電力量データを外部の記憶装置に転送して記録する電子式電力量計のデータ記録方法であって、個々の前記データ記入部に、記入可能な最大数、或いは最大数に近い特定の数を書き込んで前記電子式電力量計を初期設定する工程と、保存されている前記電力量データを前記記憶装置に記録する際に、前記記憶装置が前記電子式電力量計から前記書き込んだ特定の数を読み込んだら破棄して記録せず、他の数を読み込んだらその数を記録して前記記憶装置のデータ記入部を埋めて行く工程とを有することを特徴とする。
この発明によれば、電子式電力量計から転送された保存データが特定の数の場合は、外部の記憶装置は記録しない。よって、電子式電力量計が交換されて、過去のデータが保存されていないゼロ相当のデータが転送されても、外部の記憶装置に既に記憶されている過去の測定データが書き換えられてしまう事態を防ぐことができる。
【０００７】
請求項２の発明は、請求項１に記載の発明において、初期設定する工程でデータ記入部に書き込まれた特定の数は、電子式電力量計で表示される場合は、ゼロと表示されることを特徴とする。
この発明によれば、初期設定により特定の数が記入されても、その場合はゼロ値で表示されるので、操作者が測定値と間違えることがない。
【０００８】
請求項３の発明は、日時等の期間で区分けされた複数のデータ記入部を備えたデータ記憶部に、測定した電力量データを順次保存する電子式電力量計と、保存された前記電力量データを読み込んで記録する外部の記憶装置とを有する電子式電力量計のデータ記録システムであって、個々の前記データ記入部は、記入可能な最大数、或いは最大数に近い特定の数が書き込まれて初期設定されて成り、前記外部の記憶装置は、保存されている前記電力量データを記録する際に、前記書き込まれた特定の数を読み込んだら破棄して記録せず、他の数を読み込んだらその数を記録して前記記憶装置のデータ記入部に書き込む読込制御手段を有することを特徴とする。
この発明によれば、電子式電力量計から読み込んだ保存データが特定の数の場合は、外部の記憶装置は記録しない。よって、電子式電力量計が交換されて、過去のデータが保存されていないゼロ相当のデータが転送されても、外部の記憶装置に既に記憶されている過去の測定データが書き換えられてしまう事態を防ぐことができる。
【発明の効果】
【０００９】
本発明によれば、電子式電力量計から転送された保存データが特定の数の場合は、外部の記憶装置は記録しない。よって、電子式電力量計が交換されて、過去のデータが保存されていないゼロ相当のデータが転送されても、外部の記憶装置に既に記憶されている過去の測定データが書き換えられてしまう事態を防ぐことができる。
【発明を実施するための最良の形態】
【００１０】
以下、本発明を具体化した実施の形態を、図面に基づいて詳細に説明する。図１は電子式電力量計の保存データと、外部の記憶装置の記録データを示す説明図であり、１は交換前の電子式電力量計（以下、旧機とする）、２は交換後の電子式電力量計（以下、新機とする）、３は新機２に接続された外部の記憶装置としてのパーソナルコンピュータ（以下、単にパソコンとする）である。
【００１１】
電子式電力量計１，２は、時計・カレンダ機能を備えて、日時等の所定期間で区切った電力量を保存可能に構成され、夫々の期間の電力量を記録する複数のデータ記入部を備えたデータ記憶部（図示せず）を有している。このデータ記憶部に測定したデータが順次記入されて保存される。図１に示すＤ１はこのように保存される新機２のデータ記憶部の保存データを示し、Ｄ２はその保存データの表示状態を示している。また、Ｄ３は転送されてパソコン３が受信した受信データ、Ｄ４は受信後に書き換えられた記録データを示している。尚、電力量データは４バイトで扱う場合を示している。
【００１２】
新機２のデータ記憶部は、工場出荷時、或いは設置現場において、図２のフローチャートに示すような流れで初期化が成され、全てのデータ記入部に保存データとして０ｘｆｆｆｆｆｆｆｆ（１６進）が記入される。更に新機２は、図３のフローチャートに基づいて表示動作し、保存データが０ｘｆｆｆｆｆｆｆｆであるか判断して（Ｓ１）、そうである場合は表示データを「０」とし（Ｓ２）、その他のデータの場合は、１０進に変換した値を表示データとし（Ｓ４）、何れかの値が表示（Ｓ３）される。
尚、０ｘｆｆｆｆｆｆｆｆの表示は「０」でなくとも良く、「−」や「No  Data」といった未測定であることを表す内容であってもよい。勿論、測定開始後に測定の結果が０であれば、ゼロの数値が上書きされ、「０」が表示される。
【００１３】
一方、パソコン３は、図４に示すフローに基づき読み込んだ（転送された）データにより記録データが書き換えられようプログラムされ、パソコン３の図示しないＣＰＵ（読込制御手段）は書換制御する。受信データが０ｘｆｆｆｆｆｆｆｆであるかどうか判断（Ｓ１１）され、その場合にはデータは破棄されて書き換えは行わない。それ以外のデータであれば転送データにより記録データが書き換えられる（Ｓ１２）。
図１の表示データに基づいて具体的に説明すると、新機２は保存データＤ１に示すように、４月７日から測定を開始してデータの保存が始まるが、４月６日以前は初期設定状態の０ｘｆｆｆｆｆｆｆｆとなっている。この状態で、パソコン３にデータが転送された場合、受信データＤ３に示すように４月７日のデータに加えて４月６日以前のデータも一括して転送されるが、記録データＤ４に示すようにデータが書き換えられるのは４月７日の保存データのみとなる。それ以前の初期設定で入力されたデータは破棄されて、データが書き換えられることがない。
【００１４】
但し、測定データが偶然にも４，２９４，９６７，２９５（＝０ｘｆｆｆｆｆｆｆｆ）になってしまった場合の混同を避ける為、この新機２で扱うデータ範囲を制限する必要がある。例えば、データ範囲を９桁までと制限し、９９９，９９９，９９９を超えたら記録上は１，０００，０００，０００とし、表示は「Over  Range」等のデータ範囲外を表す内容とするとよい。
【００１５】
このように、電子式電力量計から転送された保存データが特定の数の場合は、外部の記憶装置は記録しない。よって、電子式電力量計が交換されて、過去のデータが保存されていないゼロ相当のデータが転送されても、外部の記憶装置に既に記憶されている過去の測定データが書き換えられてしまう事態を防ぐことができる。
また、初期設定されて特定の数が記入されても、表示される数値はゼロで表示されるので、操作者が測定値と間違えることがない。
【００１６】
尚、「未測定の０」として規定する数は、０ｘｆｆｆｆｆｆｆｆに限定するものではなく、通常発生する電力量データとしては考えられない数値であれば良く、例えば０ｘｆｅｆｅｆｅｆｅとしても良い。
【図面の簡単な説明】
【００１７】
【図１】本発明に係る電子式電力量計のデータ記録方法の一例を示す説明図であり、電子式電力量計の保存データと転送前後のパーソナルコンピュータの記録データを示している。
【図２】電子式電力量計のデータ記憶部を初期化するフローチャートである。
【図３】電子式電力量計の保存データの表示動作のフローチャートである。
【図４】パーソナルコンピュータの書換動作を示すフローチャートである。
【図５】従来の電子式電力量計のデータ記録方法を示す説明図である。
【符号の説明】
【００１８】
１・・旧機（電子式電力量計），２・・新機（電子式電力量計）、３・・パーソナルコンピュータ（外部の記憶装置）。
【図１】
2008261708.tif 000003
【図２】
2008261708.tif 000004
【図３】
2008261708.tif 000005
【図４】
2008261708.tif 000006
【図５】
2008261708.tif 000007